(57)【要約】【課題】車載用操作パネル装置の操作性を向上することができる。【解決手段】車載用操作パネル装置は、５方向スイッチ１０により操作可能な各操作項目を示す操作画面を表示するための表示デバイス２と、５方向スイッチ１０に対して各車載機器の操作画面を呼び出すための呼出操作が行われたときに、各操作画面のうちいずれか１つの操作画面を表示デバイス２に表示させる電子制御装置３とを備える。電子制御装置３は、操作回数が最大である操作項目を含む操作画面を、呼出操作が行われたときに表示される１つの操作画面として用いることを決定するので、呼出操作が行われたときに、操作頻度の高い操作項目を含む操作画面を表示できるので、操作性を向上することができる。【選択図】        図１
2004243971.tif 000002
【特許請求の範囲】
【請求項１】
各車載機器に対して使用者が操作するための操作部（１０）と、
前記操作部により操作可能な操作項目を示す操作画面を前記車載機器毎に時分割で表示するための表示デバイス（２）と、
前記操作部に対して前記各車載機器の操作画面を呼び出すための呼出操作が行われたときに、前記各車載機器の操作画面のうちいずれか１つの操作画面を前記表示デバイスに表示させる制御部（３）と、を有し、
前記制御部は、
前記操作部により操作される操作回数を前記操作項目毎にカウントするとともに、このカウントされる前記操作項目毎の操作回数に基づき、前記呼出操作が行われたときに表示デバイスに表示させる１つの操作画面を前記各車載機器の操作画面から決定することを特徴とする車載用操作パネル装置。
【請求項２】
前記操作項目は、前記各車載機器の操作画面のうち所望の操作画面を指定して呼び出すための操作を示すものであることを特徴とする請求項１に記載の車載用操作パネル装置。
【請求項３】
前記制御部は、前記呼出操作が行われたときに表示デバイスに表示させる１つの操作画面を所定期間毎に決めることを特徴とする請求項１又は２に記載の車載用操作パネル装置。
【請求項４】
前記制御部は、前記呼出操作が行われたときに表示デバイスに表示させる１つの操作画面を環境条件毎に決定することを特徴とする請求項１乃至３のいずれか１つに記載の車載用操作パネル装置。
【請求項５】
前記制御部が、前記操作項目毎にカウントされる操作回数を、外部に持ち運び可能なメモリに記憶させることを特徴とする請求項１乃至４のいずれか１つに記載の車載用操作パネル装置。
【請求項６】
前記制御部が、前記操作項目毎にカウントされる操作回数を、外部機器から入力される入力信号に応じて変更することを特徴とする請求項１乃至５のいずれか１つに記載の車載用操作パネル装置。
【請求項７】
車載機器に対して使用者が操作するための操作部（１０）と、
前記操作部により前記車載機器に対して操作可能な各操作項目を示す各操作画面を個々に時分割で表示するための表示デバイス（２）と、
前記操作部に対して前記車載機器の各操作画面を呼び出すための呼出操作が行われたとき、前記各操作画面のうちいずれかの操作画面を前記表示デバイスに表示させる制御部（３）と、を有し、
前記制御部は、
前記操作部に対して操作される操作回数を前記操作項目毎にカウントし、このカウントされる前記操作項目毎の操作回数に基づき、前記各操作項目のうち操作回数の多い操作項目を決定するとともに、この決定された操作回数の多い操作項目を含む操作画面を、前記呼出操作が行われたときに前記表示デバイスに表示させる操作画面として決めることを特徴とする車載用操作パネル装置。
【請求項８】
前記制御部は、前記呼出操作が行われたときに前記表示デバイスに表示させる操作画面を一定期間毎に決めることを特徴とする請求項７に記載の車載用操作パネル装置。
【請求項９】
前記制御部は、前記操作項目毎の操作回数を環境条件毎にカウントすることを特徴とする請求項７又は８に記載の車載用操作パネル装置。
【請求項１０】
前記制御部が、前記操作項目毎にカウントされる操作回数を、外部に持ち運び可能なメモリに記憶させることを特徴とする請求項７乃至９のいずれか１つに記載の車載用操作パネル装置。
【請求項１１】
前記制御部が、前記操作項目毎にカウントされる操作回数を、外部機器から入力される入力信号に応じて変更することを特徴とする請求項７乃至１０のいずれか１つに記載の車載用操作パネル装置。
【請求項１２】
前記表示デバイス、前記操作部、および前記制御部は、同一の筐体に収納されていることを特徴とする請求項１乃至１１のいずれか１つに記載の車載用操作パネル装置。
【請求項１３】
前記車載機器は、車両用空調装置、車両用ナビゲーション装置、車両用オーディオ装置および車両用情報機器のうちいずれかであることを特徴とする請求項１乃至１２のいずれか１つに記載の車載用操作パネル装置。
【発明の詳細な説明】
【０００１】
【発明の属する技術分野】
本発明は、車載機器の操作項目を示す操作画面を表示デバイスに表示させる車載用操作パネル装置に関する。
【０００２】
【従来の技術および発明が解決しようとする課題】
従来から、車両の計器盤には、空調装置、オーディオ装置、ナビゲーション装置などの車載機器を操作するために数多くの操作デバイス（すなわち操作スイッチ）が配置されている。しかし、近年、車両のＩＴ化、運転支援のニーズ等により、益々、操作デバイスの数が増えている。したがって、使用者にとって、各操作デバイスの配置が分かり難く、希望の操作をするのに必要な操作デバイスを探して操作するのが煩わしくなっている。
【０００３】
そこで、操作可能な各操作項目を示す操作画面を車載機器毎に異なる画面で時分割に表示デバイスに表示させて、操作デバイスにより、各操作項目のうち希望の操作項目を選択しこの操作デバイスの操作内容を実行するようにすることが考えられる。
【０００４】
具体的には、各車載機器の操作画面を呼び出すための「呼出操作」が操作デバイスにより行われたとき、最初に例えば空調装置の操作画面（以下、ＡＣ操作画面という）が表示デバイスに表示されるように設定しておく。そして、ＡＣ操作画面を表示デバイスの表示状態にて、操作デバイスに対してナビゲーション装置の操作画面（以下、ナビ操作画面という）およびオーディオ装置の操作画面（以下、オーデイオ操作画面という）の一方を指定する「指定操作」を行うと、この一方の操作画面を表示させる。
【０００５】
さらに、オーデイオ操作画面を表示させている状態では、操作デバイスに対してＡＣ操作画面およびナビ操作画面のうち一方を指定する「指定操作」を行うと、この一方の操作画面を表示させる。またナビ操作画面を表示させている状態において、操作デバイスに対してＡＣ操作画面およびオーデイオ操作画面のうち一方を指定する「指定操作」を行うと、この一方の操作画面を表示させる。
【０００６】
例えば、オーデイオ装置の音量を調整する場合には、オーデイオ操作画面を表示させた状態において、操作デバイスに対して、音量調整、受信周波数の選択（すなわち受信放送局の選択）等の各操作項目から音量調整を選択する「選択操作」を行うとともに、操作デバイスに対して、この選択される操作項目：音量調整を実行させる「実行操作」を行う。
【０００７】
したがって、操作デバイスとしては、上述の「呼出操作」、「指定操作」、「選択操作」および「実行操作」などの機能を有するものを用いるだけでよく、各車載機器における全ての操作項目に対応して数多くの操作デバイスをを設ける必要がなくなる。
【０００８】
しかしながら、上述のごとく、「呼出操作」が操作デバイスにより行われたとき、最初にＡＣ操作画面が表示されるので、オーデイオ装置を操作するときには、一旦、ＡＣ操作画面を表示させて、その後、オーデイオ操作画面を表示させる必要がある。したがって、車載用操作パネル装置としては、オーディオ装置を操作する場合にはその操作が行い難く、操作性が低いものとなる。
【０００９】
ところで、ＡＣ操作画面に含まれる操作項目としては、例えば、風量調整、吹出口モードの選択、内外気切換モード、温度調整等の４つ以上の操作項目を用いることが考えられる。
【００１０】
そこで、各操作項目を１つの表示画面に表示させるのではなく、各操作項目を２つの操作画面に分けて表示させることにより、各操作項目の表示の大きさを所定以上に保つことができ、各操作項目の表示の視認性を確保することが可能になると考えられる。
【００１１】
具体的には、操作デバイスに対してＡＣ操作画面を指定する操作を行うと、最初に、風量調整、吹出口モード選択といった操作項目を含む第１のＡＣ操作画面を表示デバイスに表示させる。さらに、操作デバイスに対して第２のＡＣ操作画面を指定する操作を行うと、内外気切換モード、温度調整といった操作項目を含む第２のＡＣ操作画面を表示デバイスに表示させ、内外気切換モード、温度調整といった各操作項目から操作デバイスにより例えば希望の温度調整を選択して実行させるようにする。
【００１２】
しかし、この場合、温度調整を行うためには、一旦、第１のＡＣ操作画面を表示させた後に、第２のＡＣ操作画面を表示させる必要があり、車載用操作パネル装置としては、温度調整といった操作項目の選択操作が行い難く、操作性が低いものとなる。
【００１３】
本発明は、上記点に鑑み、操作性を向上するようにした車載用操作パネル装置を提供することを目的とする。
【００１４】
【課題を解決するための手段】
本発明は、上記目的を達成するために、請求項１に記載の発明では、各車載機器に対して使用者が操作するための操作部（１０）と、操作部により操作可能な操作項目を示す操作画面を車載機器毎に時分割で表示するための表示デバイス（２）と、操作部に対して各車載機器の操作画面を呼び出すための呼出操作が行われたときに、各車載機器の操作画面のうちいずれか１つの操作画面を表示デバイスに表示させる制御部（３）と、を有し、制御部は、操作部により操作される操作回数を操作項目毎にカウントするとともに、このカウントされる操作項目毎の操作回数に基づき、呼出操作が行われたときに表示デバイスに表示させる１つの操作画面を各車載機器の操作画面から決定することを特徴とする。
【００１５】
これにより、各車載機器の操作項目のうち、操作回数が最大である操作項目を含む操作画面を、呼出操作が行われたときに表示される１つの操作画面として用いることを決定すれば、呼出操作が行われたときに、操作頻度の高い操作項目を含む操作画面を表示できるので、操作性を向上することができる。
【００１６】
具体的には、請求項２に記載の発明のように、操作項目としては、各車載機器の操作画面のうち所望の操作画面を指定して呼び出すための操作を示すものを用いてもよい。
【００１７】
さらに、請求項３に記載の発明のように、制御部は、呼出操作が行われたときに表示デバイスに表示させる１つの操作画面を所定期間毎に決めるようにしてもよい。
【００１８】
また、請求項４に記載の発明のように、制御部は、呼出操作が行われたときに表示デバイスに表示させる１つの操作画面を環境条件毎に決定してもよい。なお、なお、環境条件とは、季節、時間帯、曜日、乗員の心拍数、体温、日射量、外気温、車室内気温などのいずれかである。
【００１９】
請求項５に記載の発明のように、制御部が、操作項目毎にカウントされる操作回数を、外部に持ち運び可能なメモリに記憶させてもよい。この場合、メモリを用いて、他の車両の車載用操作パネル装置に前記カウントされた操作回数を記憶させれば、他の車両の車載用操作パネル装置で、請求項１に記載の発明と同一の効果が得ることができる。
【００２０】
請求項６に記載の発明では、制御部が、操作項目毎にカウントされる操作回数を、外部機器から入力される入力信号に応じて変更することを特徴とする。
【００２１】
これにより、呼出操作が行われたときに表示デバイスに表示させる１つの操作画面を、外部機器からの入力により変更することができる。
【００２２】
請求項７に記載の発明では、車載機器に対して使用者が操作するための操作部（１０）と、操作部により車載機器に対して操作可能な各操作項目を示す各操作画面を個々に時分割で表示するための表示デバイス（２）と、操作部に対して車載機器の各操作画面を呼び出すための呼出操作が行われたとき、各操作画面のうちいずれかの操作画面を表示デバイスに表示させる制御部（３）と、を有し、制御部は、操作部に対して操作される操作回数を操作項目毎にカウントし、このカウントされる操作項目毎の操作回数に基づき、各操作項目のうち操作回数の多い操作項目を決定するとともに、この決定された操作回数の多い操作項目を含む操作画面を、呼出操作が行われたときに表示デバイスに表示させる操作画面として決めることを特徴とする。
【００２３】
これにより、操作頻度の高い操作画面を、呼出操作が行われたときに表示デバイスに表示させる操作画面として決めることができるので、操作性を向上させることができる。
【００２４】
また、請求項８に記載の発明のように、制御部としては、呼出操作が行われたときに表示デバイスに表示させる操作画面を一定期間毎に決めるようにしてもよい。
【００２５】
請求項９に記載の発明では、制御部は、操作項目毎の操作回数を環境条件毎にカウントすることを特徴とする。
【００２６】
これにより、呼出操作が行われたときに表示デバイスに表示させる操作画面を環境条件毎に決めることができる。
【００２７】
請求項１０に記載の発明では、制御部が、操作項目毎にカウントされる操作回数を、外部に持ち運び可能なメモリに記憶させることを特徴とする。
【００２８】
これにより、メモリを用いて、他の車両の車載用操作パネル装置に前記カウントされた操作回数を記憶させれば、他の車両の車載用操作パネル装置で、請求項７に記載の発明と同一の効果が得ることができる。
【００２９】
請求項１１に記載の発明では、制御部が、操作項目毎にカウントされる操作回数を、外部機器から入力される入力信号に応じて変更することを特徴とする。
【００３０】
これにより、呼出操作が行われたときに表示デバイスに表示させる操作画面を、外部機器からの入力により変更することができる。
【００３１】
なお、請求項１２に記載の発明では、表示デバイス、操作部、および制御部は、同一の筐体に収納されてるようにしてもよい。また、請求項１３に記載の発明のように、車載機器は、車両用空調装置、車両用ナビゲーション装置、車両用オーディオ装置および車両用情報機器のうちいずれかを用いてもよい。
【００３２】
因みに、上記各手段の括弧内の符号は、後述する実施形態に記載の具体的手段との対応関係を示す一例である。
【００３３】
【発明の実施の形態】
（第１実施形態）
図１に、本発明の第１実施形態の車載用操作パネル装置の構成を示す。
【００３４】
車載用操作パネル装置は、図１に示すように、操作パネル１、表示デバイス（表示パネル）２および電子制御装置（パネルＥＣＵ）３から構成されており、電子制御装置３は、電子制御装置（ＮＡＶＩＥＣＵ）４、電子制御装置（Ａ／ＣＥＣＵ）５および電子制御装置（ＡｕｄｉｏＥＣＵ）６と車載ＬＡＮ７で繋がっている。
【００３５】
操作パネル１は、車両の計器盤の車両左右方向（車幅方向）の中央部に配置されて、５方向スイッチ１０および操作ダイヤル１１、１２などから構成されている。５方向スイッチ１０は、上下左右の４方向に押下可能に構成される４方向スイッチ１０ａと紙面奥側（紙面垂直方向にて手前側と反対側）に押下可能に構成される中央部スイッチ１０ｂとからなる。
【００３６】
４方向スイッチ１０ａは、後述するように、表示デバイス２の表示上でカーソルを移動させて操作項目を選択する選択操作を行うために用いられる。中央部スイッチ１０ｂは、４方向スイッチ１０ａにより選択される操作項目を実行させる実行操作を行うために用いられるとともに、各車載機器の操作画面を呼び出すために用いられる。各車載機器としては、ナビゲーション装置、空調装置、オーディオ装置が用いられている。
【００３７】
表示デバイス２は、例えば液晶パネルであって、ナビ操作画面、第１及び第２Ａ／Ｃ操作画面、オーディオ操作画面などの各操作画面、道路地図、目的地までの経路等を表示させる。ここで、ナビ操作画面は、ナビゲーション装置に対して操作を行うための画面、第１及び第２Ａ／Ｃ操作画面は、空調機器に対して操作を行うための画面、オーディオ操作画面は、オーディオ装置に対して操作を行うための画面である。
【００３８】
電子制御装置３は、マイクロコンピュータ、メモリから構成されたもので、操作パネル１の５方向スイッチ１０および操作ダイヤル１１、１２から出力される操作信号に基づき表示デバイス２を制御するとともに、操作パネル１から出力される操作信号を電子制御装置４、５、６に出力する。
【００３９】
電子制御装置４は、ナビゲーション装置の一構成要素であって、現在地から目的地までに至る最適経路を設定し、道路地図を表示デバイス２に表示させるとともに、この表示される道路地図上で最適経路を表示させることにより、目的地までの最適経路を使用者に案内する。
【００４０】
電子制御装置５は、空調装置の一構成要素であって、送風機、冷却器、ヒータを内蔵する空調ユニットを制御して、空調ユニットから車室内に向けて吹き出させる空調風の送風量、吹出温度を調整する。また電子制御装置６は、オーディオ装置の一構成要素であって、ＣＤプレイヤーによって音楽用ディスクから取得される音楽用音声データに基づきスピーカから音楽音声を出力させるとともに、ラジオ受信機によりラジオ放送局から受信される放送信号に基づきラジオ放送を音声にてスピーカから出力させる。
【００４１】
次に、本実施形態の作動について図２乃至図６を用いて説明する。図２は第１のＡ／Ｃ操作画面を示し、図３は第２のＡ／Ｃ操作画面を示し、図４はオーディオ操作画面を示し、図５はナビ操作画面を示す。
【００４２】
ここで、パネルＥＣＵ３は、操作画面を表示するための表示処理と、後述する操作画面の表示順序変更処理と時分割で繰り返し実行する。先ず、図２乃至図５を用いて、操作画面の表示処理について説明する。
【００４３】
すなわち、パネルＥＣＵ３は、５方向スイッチ１０の中央スイッチ１０ｂが押下されたとき、各車載機器の操作画面を呼び出すための呼出操作が行われたと判定して、初期操作画面を最初に表示デバイス３に表示させる。初期操作画面としては、第１及び第２のＡ／Ｃ操作画面、ナビ操作画面およびオーディオ操作画面のうちいずれか１つの操作画面が決められている。
【００４４】
例えば、第１のＡ／Ｃ操作画面を図２に示すように表示デバイス３に表示させた状態で、５方向スイッチ１０の４方向スイッチ１０ａが上下に押下されて、操作表示エリア２０１の操作項目２０乃至２６のうち希望の操作項目を表示デバイス２の表示上のカーソルＫにより指定して、さらに、中央部スイッチ１０ｂを押下すると、希望の操作項目の内容を実行する。
【００４５】
ここで、操作項目２０は空調ユニットから吹き出される吹出温度を上昇させる操作、操作項目２１は吹出温度の低減させる操作、操作項目２２は空調ユニットから吹き出される送風量を増加させる操作、操作項目２３は送風量の低減させる操作を示す。操作項目２４は第２のＡ／Ｃ操作画面を指定して表示させる操作、操作項目２５はナビ操作画面を指定して表示させる操作、操作項目２６はオーディオ操作画面を指定して表示させる操作を示す。
【００４６】
以上のような操作項目２０乃至２６のうち、例えば図２に示すようにカーソルＫにより操作項目２０が指定された状態で、中央部スイッチ１０ｂが押下されると、操作項目２０を含む制御信号がパネルＥＣＵ３からＡ／ＣＥＣＵ５に送られ、Ａ／ＣＥＣＵ５が、当該制御信号に基づいて吹出温度を上昇させるように空調ユニットを制御する。
【００４７】
また、第２のＡ／Ｃ操作画面を図３に示すように表示デバイス３に表示させた状態で、５方向スイッチ１０の４方向スイッチ１０ａが上下に押下されて操作項目２５乃至３１のうち希望の操作項目を表示デバイス２の表示上のカーソルＫにより指定して、さらに、中央部スイッチ１０ｂが押下される、希望の操作項目の内容を実行する。
【００４８】
具体的には、操作項目２９はフェイスモード→デフモード→フットモード→バイレベルモードというように吹出口モードを切り換えて設定する操作、操作項目は３０フェイスモード→バイレベルモード→フットモード→デフモードというように吹出口モードを切り換えて設定する操作を示す。
【００４９】
なお、フェイスモードは空調ユニットから吹き出される空調風を乗員の上半身に向けて吹き出すモード、デフモードは主にフロントウインドシールドの内壁に向けて空調風を吹き出すモード、フットモードは乗員の下半身に空調風を吹き出すモード、バイレベルモードは空調風を乗員の上半身に向けて吹き出すとともに、乗員の下半身に空調風を吹き出すモードである。
【００５０】
また、操作項目２７は外気モード→内気モードというように内外気モードを切り換えて設定する操作、操作項目２８は、内気モード→外気モードというように内外気モードを切り換えて設定する操作を示す。ここで、内気モードは車室内の空気を循環させて空調を行うモード、外気モードは外気を導入して空調を行うモードである。操作項目３１は第２のＡ／Ｃ操作画面を指定して表示させる操作を示す。
【００５１】
なお、図２、図３中の状態表示エリアでは、吹出口モード、吹出温度、送風量、送風機の動作状態、内外気モードなどの設定状態を表示している。また、図３中の操作項目２５、２６は、図２中の操作項目２５、２６と同一である。
【００５２】
以上のような第２のＡ／Ｃ操作画面が表示された状態で、カーソルＫにより操作項目２６が指定され、中央部スイッチ１０ｂが押下されると、オーディオ操作画面を図４に示すように表示デバイス３に表示される。
【００５３】
ここで、オーディオ操作画面の操作表示エリア４００にて、操作項目４０はスピーカから出力される音量を上げる操作、操作項目４１はスピーカから出力される音量を下げる操作、操作項目４２、４３は、受信するラジオ局を選局する操作、操作項目４４は第１のＡ／Ｃ操作画面を指定して表示させる操作を示す。なお、図４中の操作項目２５は図１中の操作項目２５と同一である。
【００５４】
以上のようなオーディオ操作画面が表示され、操作項目４１、４２、４３のいずれかの操作項目がカーソルＫにより指定して、中央部スイッチ１０ｂを押下されると、指定操作項目を含む制御信号が電子制御装置３から電子制御装置６に送られ、電子制御装置６が、当該制御信号に基づいて、音量を上下、受信ラジオ局の選局のうち該当する処理を行う。なお、オーディオ操作画面の状態表示エリア５００では、設定された音量、選局された受信ラジオ局などを表示している。
【００５５】
また、操作項目４１、４２、４３ではなく、図４に示すように操作項目２５がカーソルＫにより指定し、中央部スイッチ１０ｂが押下されると、電子制御装置３がナビ操作画面を図５に示すように表示パネル２に表示させる。
【００５６】
ここで、ナビ操作画面の操作表示エリア５００にて、操作項目５０は拡大地図を表示させる操作、操作項目５１は縮小地図を表示させる操作、操作項目５２は目的地を設定する操作、操作項目５３は現在地から目的地までの最適経路を設定する操作を示す。図５中の操作項目４４は、図４中の操作項目４４と同一である。
【００５７】
このようなナビ操作画面が表示され、操作項目５１、２２、５３のいずれかの操作項目がカーソルＫにより指定して、中央部スイッチ１０ｂが押下されると、指定操作項目を含む制御信号が電子制御装置３から電子制御装置４に送られ、電子制御装置４が、当該制御信号に基づいて、拡大地図、縮小地図、目的地設定、経路設定などのうち該当する処理を実行する。なお、ナビ操作画面の地図表示エリアでは、現在地を含む道路地図を表示している。
【００５８】
また、操作項目５１、２２、５３ではなく、図５に示すように操作項目４４がカーソルＫにより指定して、中央部スイッチ１０ｂが押下されると、電子制御装置３が第１のＡ／Ｃ操作画面を図２に示すように表示パネル２に表示させる。
【００５９】
次に、パネルＥＣＵ３による操作画面の表示順序変更処理について図６を用いて説明する。パネルＥＣＵ３は、図６に示すフローチャートに従って、メモリに記憶されるコンピュータプログラムを実行する。
【００６０】
先ず、５方向スイッチ１０の中央スイッチ１０ｂに対して、各車載機器の操作画面を呼び出すための呼出操作が行われたか否かを判定する（ステップ１００）。中央スイッチ１０ｂが押下されたとき、各車載機器の操作画面を呼び出すための呼出操作が行われたとしてＹＥＳと判定する。
【００６１】
次に、第１および第２のＡ／Ｃ操作画面、ナビ操作画面、オーディオ操作画面のうちいずれかの操作画面が表示されている状態で、操作項目２５、２６、４４のうちいずれかの操作画面がカーソルＫにより指定して実行されたか否かを判定する（ステップ１１０）。
【００６２】
ここで、操作項目２５、２６、４４のいずれかの操作画面がカーソルＫにより指定されて実行されたときＹＥＳと判定する。これに伴い、操作項目２５、２６、４４について実行操作の回数を操作項目毎にカウントする。すなわち、中央部スイッチ１０ｂに対して所望の操作画面を指定して呼び出すための押下操作の回数を車載機器毎にカウントする（ステップ１２０）。
【００６３】
次に、当該コンピュータプログラムの実行後一定期間（例えば一週間）経過したか否かを判定する（ステップ１３０）。ここで、コンピュータプログラムの実行後一定期間経過していないときには、ステップ１００に戻る。このため、コンピュータプログラムの実行後一定期間経過するまで、画面呼出操作有無判定（ステップ１００）、操作項目の実行操作判定処理（ステップ１１０）、実行操作回数カウント処理（ステップ１２０）、一定期間経過判定処理（ステップ１３０）を繰り返す。
【００６４】
その後、コンピュータプログラムの実行後一定期間経過したとしてステップ１３０でＹＥＳと判定されたときには、操作項目２５、２６、４４のうち、実行操作の回数が最大である操作項目（以下最大操作項目という）を選択する。最大操作項目として操作項目２５を選択したとき、呼出操作画面としては第１のＡ／Ｃ操作画面を用いることを決める。この呼出操作画面は、初期操作画面に代えて用いられる画面で、各車載機器の操作画面を呼び出すための二回目の呼出操作が行われたとき、表示パネル２に表示される。
【００６５】
また、最大操作項目として操作項目２６を選択したとき、呼出操作画面としてはオーディオ操作画面を用いることを決める。さらに、最大操作項目として操作項目４４を選択したとき、呼出操作画面としてはナビ操作画面を用いることを決める（ステップ１４０）。
【００６６】
その後、一定期間が経過するまで、画面呼出操作有無判定（ステップ１００）、操作項目の実行操作判定処理（ステップ１１０）、実行操作回数カウント処理（ステップ１２０）、一定期間経過判定処理（ステップ１３０）を繰り返し、一定期間が経過したことを判定すると、呼出操作画面として用いられる操作画面を再び決定する。このようにして、呼出操作画面として用いられる操作画面を一定期間毎に決定することになる。
【００６７】
以上説明した本実施形態によれば、パネルＥＣＵ３は、５方向スイッチ１０により操作される操作回数を、操作項目２５、２６、４４といった操作項目毎にカウントするとともに、このカウントされる操作項目毎の操作回数に基づき、５方向スイッチ１０により呼出操作が行われたときに表示デバイス２に表示させる呼出操作画面を各車載機器の操作画面から決定する。
【００６８】
これにより、各操作項目のうち、操作回数が最大である操作項目を含む操作画面を、呼出操作が行われたときに表示される１つの操作画面として用いることを決定すれば、呼出操作が行われたときに、操作頻度の高い操作項目を含む操作画面を表示できるので、操作性を向上することができる。
【００６９】
（第２実施形態）
上述の実施形態では、電子制御装置５（Ａ／ＣＥＣＵ）の第１および第２の操作画面を呼び出すために、例えば操作項目４４がカーソルＫにより指定され、中央部スイッチ１０ｂが押下されたとき、第１および第２のＡ／Ｃ操作画面のうち一方のＡ／Ｃ操作画面が表示されるものの、第１および第２のＡ／Ｃ操作画面のうち、いずれのＡ／Ｃ操作画面が表示されるかについては予め決められていた。
【００７０】
これに代えて、第２実施形態では、電子制御装置５（Ａ／ＣＥＣＵ）の第１および第２の操作画面を呼び出すための呼出操作が行われたときに表示されるＡ／Ｃ操作画面（以下、開始操作画面という）を、操作頻度により変更するようにする。この場合、パネルＥＣＵ３は、上述の表示順序変更処理に代えて図７に示すメニュー構成変更処理を実行する。以下、メニュー構成変更処理について図７を用いて説明する。
【００７１】
パネルＥＣＵ３は、図７に示すフローチャートに従って、コンピュータプログラムを実行する。
【００７２】
先ず、５方向スイッチ１０の中央スイッチ１０ｂに対して、各車載機器の操作画面を呼び出すための呼出操作が行われたか否かを判定する（ステップ２００）。中央スイッチ１０ｂが押下されたとき、各車載機器の操作画面を呼び出すための呼出操作が行われたとしてＹＥＳと判定する。
【００７３】
次に、第１および第２のＡ／Ｃ操作画面のうちいずれかの操作画面が表示されている状態で、操作項目２０乃至２３、２７乃至３０のうちいずれかの操作項目がカーソルＫによって指定されて実行されたか否かを判定する（ステップ２１０）。
【００７４】
ここで、操作項目２０乃至２３、２７乃至３０のいずれかの操作項目がカーソルＫにより指定されて実行されたときＹＥＳと判定する。これに伴い、操作項目２０乃至２３、２７乃至３０について実行操作の回数を操作項目毎にカウントする。すなわち、中央部スイッチ１０ｂに対して、指定の操作項目の内容を実行するために行われる押下操作の回数を操作項目毎にカウントする（ステップ２２０）。
【００７５】
ここで、操作項目２０、２１の個々の押下回数を加算して、温度調整を行うための温度調整操作項目の操作回数を求める。操作項目２２、２３の個々の押下回数を加算して、風量調整を行うための風量調整操作項目の操作回数を求める。操作項目２７、２８の個々の押下回数を加算して、内外気モードの変更を行うための内外気モード変更操作項目の操作回数を求める。操作項目２９、３０の個々の押下回数を加算して、吹出口モードの変更を行うための吹出口モード変更操作項目の操作回数を求める。
【００７６】
次に、当該コンピュータプログラムの実行後一定期間（例えば一週間）経過したか否かを判定する（ステップ２３０）。ここで、コンピュータプログラムの実行後一定期間経過していないときには、ステップ２００に戻る。このため、コンピュータプログラムの実行後一定期間経過するまで、画面呼出操作有無判定（ステップ２００）、操作項目の操作判定処理（ステップ２１０）、操作回数カウント処理（ステップ２２０）、一定期間経過判定処理（ステップ２３０）を繰り返す。
【００７７】
その後、コンピュータプログラムの実行後一定期間経過したとしてステップ２３０でＹＥＳと判定されたときには、温度調整操作項目の操作回数、風量調整操作項目の操作回数、内外気モード変更操作項目の操作回数、吹出口モード変更操作項目の操作回数のうち、操作回数が最大である操作項目（以下最大操作項目という）を選択する。
【００７８】
例えば、最大操作項目として温度調整操作項目を選択したとき、開始操作画面として第１のＡ／Ｃ操作画面を用いることを決め、最大操作項目として風量調整操作項目を選択したとき、開始操作画面として第１のＡ／Ｃ操作画面を用いることを決める。さらに、最大操作項目として内外気モード変更操作項目、および、吹出口モード変更操作項目のいずれか一方を選択したとき、開始操作画面として第２のＡ／Ｃ操作画面を用いることを決める。
【００７９】
その後、一定期間が経過するまで、画面呼出操作有無判定（ステップ２００）、操作項目の操作判定処理（ステップ２１０）、操作回数カウント処理（ステップ２２０）、一定期間経過判定処理（ステップ２３０）を繰り返し、一定期間が経過したことを判定すると、開始操作画面として用いられるＡ／Ｃ操作画面を再び決定する。このようにして、開始操作画面として用いられるＡ／Ｃ操作画面を一定期間毎に決定することになる。
【００８０】
以上に説明したように本実施形態によれば、電子制御装置５（Ａ／ＣＥＣＵ）の第１及び第２ＡＣ操作画面を呼出するための呼出操作が行われたときに表示される開始操作画面として、第１および第２のＡ／Ｃ操作画面のうち、操作頻度の高い操作項目を含むＡ／Ｃ操作画面を用いるので、操作性を向上することができる。
【００８１】
（その他の実施形態）
なお、上述の第１の実施形態では、操作項目２５、２６、４４の各操作回数をカウントしてこの操作回数に基づき、呼出操作画面を決める用にした例を示したが、これに限らず、次のようにしてもよい。
【００８２】
図２乃至図５に示す全ての操作項目について操作回数を操作項目毎にカウントして、操作項目毎の操作回数を車載機器毎に集計する。これにより、電子制御装置４（ＮＡＶＩＥＣＵ）に対する操作回数、電子制御装置５（Ａ／ＣＥＣＵ）に対する操作回数、電子制御装置６（ＡｕｄｉｏＥＣＵ）に対する操作回数を求めることができる。このような電子制御装置毎の操作回数のうち、最大である操作回数の電子制御装置を選び、この選ばれる電子制御装置の操作画面を、呼出操作画面としてもよい。
【００８３】
なお、上述の第１の実施形態では、環境条件に関わらず、呼出操作画面を決定するものを示したが、これに限らず、呼出操作画面を環境条件毎に決定してもよい。ここで、環境条件としては、季節、時間帯（朝、昼、夕）、曜日、乗員の心拍数、体温、日射量、外気温、内気温を用いることができる。例えば、環境条件としては、春夏秋冬といった季節を用いる場合には、春（４月〜６月）、夏（７月〜９月）、秋（１０月〜１２月）、冬（１月〜３月）といった季節毎、呼出操作画面を決定する
さらに、上述の第１の実施形態において、電子制御装置３が、操作項目２５、２６、４４の各操作回数を、外部に持ち運び可能なメモリに記憶させるようにしてもよい。メモリとしては、例えば、コンパクトディスク、ＩＣカードなどを用いることができる。この場合、他の車両の車載用操作パネル装置で、上述の第１の実施形態と同一の効果が得ることができる。
【００８４】
さらに、上述の第１の実施形態において、電子制御装置３が、操作項目毎にカウントされた操作項目２５、２６、４４の各操作回数を、パーソナルコンピュータ（外部機器）から入力される入力信号に応じて変更する用にしてもよい。これにより、呼出操作が行われたときに表示デバイス２に表示させる操作画面を、パーソナルコンピュータからの入力により変更することができる。
【００８５】
また、上述の第２の実施形態では、第１および第２のＡ／Ｃ操作画面のうち操作頻度の高い操作項目を含む操作画面を開始操作画面とする例を示したが、これに限らず、ナビ操作画面を２つの第１および第２のナビ操作画面に分けて、第１および第２のナビ操作画面をのうち、操作頻度の高い操作項目を含む操作画面を開始操作画面としてもよい。また、ナビ操作画面に代えてオーディオ操作画面を第１および第２のオーディオ操作画面に分けて、第１および第２のオーディオ操作画面のうち、操作頻度の高い操作項目を含む操作画面を開始操作画面としてもよい。
【００８６】
また、上述の第２の実施形態では、電子制御装置３が、操作項目毎の操作回数を環境条件毎にカウントしてもよい。例えば、環境条件としては、春夏秋冬といった季節を用いる場合には、環境条件毎の操作回数に基づき、呼出操作が行われたときに表示されるＡ／Ｃ操作画面を季節毎に決定する。
【００８７】
また、上述の第２の実施形態において、電子制御装置３が、温度調整操作項目、風量調整操作項目、内外気モード変更操作項目、吹出口モード変更操作項目のそれぞれの操作回数を、外部に持ち運び可能なメモリに記憶させてもよい。これにより、メモリを用いて、他の車両の電子制御装置３に、前記それぞれの操作回数を記憶させれば、他の車両の電子制御装置３で、上記第２実施形態と同一の効果が得ることができる。メモリとしては、例えば、コンパクトディスク、ＩＣカードなどを用いることができる。
【００８８】
また、上述の第２の実施形態において、温度調整操作項目、風量調整操作項目、内外気モード変更操作項目、吹出口モード変更操作項目にてそれぞれカウントされた操作回数を、パーソナルコンピュータ（外部機器）から入力される入力信号に応じて変更してもよい。これにより、呼出操作が行われたときに表示デバイス２に表示させる操作画面を、パーソナルコンピュータ（外部機器）からの入力により変更することができる。
【００８９】
さらに、上述した第１および第２実施形態では、車載機器として、ナビゲーション装置、空調装置、オーディオ装置を用いるものを示したが、これに限らず、電話器、コンピュータなどの車両用情報機器を用いてもよい。
【００９０】
さらに、上述した第１および第２実施形態では、操作パネル１、表示デバイス２、電子制御装置３を、同一の筐体に収納するようにしてもよく、または、操作パネル１、表示デバイス２、電子制御装置３を別々の筐体に収納するようにしてもよい。
【００９１】
なお、上述した第１および第２実施形態では、表示デバイス２としては液晶パネルを用いるものを示したが、これに限らず、ＥＬパネル、ＶＦＤなどを用いてもよい。
【００９２】
また、上述した第１および第２実施形態では、操作部として５方向スイッチ１０を用いる例を示したが、これに限らず、８方向スイッチ、ジョイスティック、トラックボール、タッチパネルなどを入力の選択を行うことができる操作部ならばいずれのものでもよい。
【００９３】
なお、上述した第１および第２実施形態を組み合わせて実施するようにしてもよい。
【図面の簡単な説明】
【図１】本発明の車載用操作パネル装置の第１実施形態を示すブロック図である。
【図２】図１の表示デバイスで表示されるＡ／Ｃ操作画面を示す図である。
【図３】図１の表示デバイスで表示されるＡ／Ｃ操作画面を示す図である。
【図４】図１の表示デバイスで表示されるオーディオ操作画面を示す図である。
【図５】図１の表示デバイスで表示されるナビ操作画面を示す図である。
【図６】図１の電子制御装置の処理を示すフローチャートである。
【図７】本発明において第２実施形態の電子制御装置の処理を示すフローチャートである。
【符号の説明】
１…操作パネル１、２…表示デバイス、３乃至６…電子制御装置、
７…車載ＬＡＮ、１０…５方向スイッチ。
【図１】
2004243971.tif 000003
【図２】
2004243971.tif 000004
【図３】
2004243971.tif 000005
【図４】
2004243971.tif 000006
【図５】
2004243971.tif 000007
【図６】
2004243971.tif 000008
【図７】
2004243971.tif 000009